(57)【要約】【課題】設置する場所が特に限定されず、例えば水道が配管されていない場所でも改質した水を利用できるようにした水改質瓶を提供する。【解決手段】水改質瓶（Ａ）は、セラミックでつくられた瓶本体（１）と、瓶本体（１）の底部側に設けてある水改質器（２）とを備えている。水改質器（２）は、瓶本体（１）外部へ取水可能な取水栓（２１）と、取水栓（２１）へつながり、瓶本体（１）に溜めた水を通すことができる通水容器（２０）と、通水容器（２０）内に設けられ、通る水と接触することによって水を改質できるマグネシウム粒（２４１）とを備えている。マグネシウム粒（２４１）は流動性固体であり、通水可能な網布でつくられた収容袋（２４０）に収容された状態で通水容器（２０）内に収容されている。【選択図】        図２
2004275902.tif 000002
【特許請求の範囲】
【請求項１】
水を改質する水改質瓶であって、
セラミックでつくられた瓶本体（１）と、
瓶本体（１）の底部側に設けてある水改質器（２）と、
を備えており、
水改質器（２）は、
瓶本体（１）外部へ取水可能な取水栓（２１）と、
取水栓（２１）へつながり、瓶本体（１）に溜めた水を通すことができる通水容器（２０）と、
通水容器（２０）内に設けられ、通る水と接触することによって水を改質できる水改質材（２４１）と、
を備えていることを特徴とする、
水改質瓶。
【請求項２】
水改質材（２４１）は流動性固体であり、通水可能な網布でつくられた袋（２４０）に収容された状態で通水容器（２０）内に収容されていることを特徴とする、
請求項１記載の水改質瓶。
【請求項３】
水改質材（２４１）はマグネシウムであることを特徴とする、
請求項１または２記載の水改質瓶。
【発明の詳細な説明】
【０００１】
【発明の属する技術分野】
本発明は水改質瓶（みずかいしつがめ）に関するものである。更に詳しくは、飲用等、日常的に利用するために、より適するよう水の改質を行うことができるものにおいて、水道が配管されていない場所でも水を改質して利用でき、構造がごく簡単であり、更には、電気分解を利用せずにアルカリイオン水を簡単に生成することができるものに関する。
【０００２】
【従来技術】
近年に至る地球環境の悪化は、生命を維持していく上で欠かせない水にも重大な影響を与えている。このように水の汚染が懸念される中で、様々な機器を使用して、水を飲用等として、より適するよう改質する技術に対し、社会的な関心もますます高まっている。
【０００３】
また、飲用に適した水としては、アルカリイオン水（アルカリ還元水ともいう）が注目されている。アルカリイオン水は、酸化還元電位が低く、マイナスの数値を示すことが知られており、厚生労働省によって、胃酸過多、慢性下痢、消化不良等の症状に効果があることが認められている。
【０００４】
水を清浄化する等、水を改質する機器としては、いわゆる浄水器がある。浄水器の一般的な構造は、例えばイオン交換樹脂層、活性炭層等の複数種類の濾過フィルタを水の流れる方向に直列に配し、各濾過フィルタに水道水等の被処理水を通して改質を行うものである（特許文献１参照）。
【０００５】
【特許文献１】
特開２０００−３４２９１７号公報
【０００６】
【発明が解決しようとする課題】
特許文献１記載の浄水器には、次のような課題があった。
すなわち、上記浄水器は、導水部に水道水を導入するための給水管を接続して使用するものであるので、設置する場所が限定されてしまい、例えば水道が配管されていない場所で改質した水を利用したい時など不便である。
【０００７】
また、ケーシングやいくつもの濾過フィルタ、各フィルタを固定する部材等、多数の部品からなり、構造が比較的複雑で製造コストも高かった。
【０００８】
更には、全体にステンレス等の金属や合成樹脂が表れた外観は、いかにも無機的で暖かみがなく、特に一般家庭で使用するものとしては違和感を感じる人も多い。
【０００９】
（発明の目的）
本発明の目的は、飲用等、日常的に利用するために、より適するよう水の改質を行うことができるものにおいて、水道水等の被処理水を導水するための給水管を接続しない構造として、設置する場所が特に限定されず、例えば水道が配管されていない場所でも改質した水を利用できるようにすることである。
【００１０】
本発明の他の目的は、水を改質するものにおいて、構造をごく簡単にして製造コストを安価にできるようにすることである。
【００１１】
本発明の他の目的は、水を改質するものにおいて、電気分解を利用せずに、電解水製造装置と同等の酸化還元電位及びｐＨを有するアルカリイオン水を簡単に生成することができるようにすることである。
【００１２】
本発明の他の目的は、水を改質するものにおいて、全体の外観が無機的とならず暖かみがあるようにして、特に一般家庭で使用するものとしても違和感なく、精神的な安らぎが感じられるようにすることである。
【００１３】
【課題を解決するための手段】
上記課題を解決するために講じた本発明の手段は次のとおりである。
第１の発明にあっては、
水を改質する水改質瓶であって、
セラミックでつくられた瓶本体と、
瓶本体の底部側に設けてある水改質器と、
を備えており、
水改質器は、
瓶本体外部へ取水可能な取水栓と、
取水栓へつながり、瓶本体に溜めた水を通すことができる通水容器と、
通水容器内に設けられ、通る水と接触することによって水を改質できる水改質材と、
を備えていることを特徴とする、
水改質瓶である。
【００１４】
第２の発明にあっては、
水改質材は流動性固体であり、通水可能な網布でつくられた袋に収容された状態で通水容器内に収容されていることを特徴とする、
第１の発明に係る水改質瓶である。
【００１５】
第３の発明にあっては、
水改質材はマグネシウムであることを特徴とする、
第１または第２の発明に係る水改質瓶である。
【００１６】
瓶本体の材質は、焼物（陶器、磁器）、ガラス、煉瓦等を含むセラミックスである。セラミックスは、常時、遠赤外線を放射している。
【００１７】
水改質材としては、マグネシウムの他に、例えばカルシウム・鉄・亜鉛・コバルト・マンガンやその他のミネラル、石灰石、ドロマイト、大理石、コーラルサンド、貝がら、骨、麦飯石、太陽石、祖陽石、セラミックス、炭（活性炭、備長炭、ヤシガラ炭、竹炭等）、濾過膜（中空糸膜、逆浸透膜、平膜）、イオン交換樹脂、イオン交換繊維等を挙げることができるが、特にこれらに限定するものではない。
【００１８】
水改質材が、流動性を有する固体である場合、その個々の形状は問わない。なお、流動性固体である水改質材の個々の間に安定的に通水空間を設けるには、流動性固体が球体であるのが望ましいが、これに限定するものではなく、例えば形状が一定しない各種異形状のもの、カールしたチップまたは細長状のもの等を挙げることができる。
【００１９】
（作用）
本発明に係る水改質瓶は次のように作用する。
まず、瓶本体に適量の水道水等の被処理水を入れて溜める。
瓶本体はセラミックでつくられているので、瓶本体内に溜められている被処理水は、セラミックが放射する遠赤外線によって、理由は定かでないが味にまろやかさが付与される。
必要時に取水栓を開栓し、取水する。
このときの水の流れによって、瓶本体内部の被処理水は通水容器内に入り、水改質材に接触して改質される。
改質された水は取水栓から、瓶本体外部へ取水される。
【００２０】
本発明に係る水改質瓶は、瓶本体にあらかじめ溜めた水を改質するものであるので、一般的な浄水器と相違して、水道の配管がされていない場所でも、水を改質して使用できる。また、構造がごく簡単であるので、製造コストを安価に抑えることができる。
【００２１】
水改質材は流動性固体であり、通水可能な網布でつくられた袋に収容された状態で通水容器内に収容されているものは、網目を水改質材の特性、形態に合わせて適正に選定すれば、水改質材そのものや屑のもれを防止できる。また、水改質材のメンテナンスを行う時には、袋に入ったまま交換できるので、作業が容易にできる。
【００２２】
水改質材がマグネシウムであるものは、マグネシウムを被処理水と接触させることで、下記化学式１に示すように、マグネシウムが水と反応し、水酸化マグネシウムと水素が生成される。
【００２３】
【化１】
2004275902.tif 000003
【００２４】
これにより、水改質瓶によって、電気分解を利用せずに、電解水製造装置と同等の酸化還元電位やｐＨを有するアルカリイオン水を生成できる。
【００２５】
また、本発明に係る水改質瓶は、古来、我が国において、飲用水を溜めるために使用されてきた水瓶を想起させることができ、使用者に対し、無機的な感じではなく、暖かみを感じさせることができる。
【００２６】
【発明の実施の形態】
本発明を図面に示した実施の形態に基づき更に詳細に説明する。
図１は本発明に係る水改質瓶の一実施の形態を示す斜視図、
図２は図１に示す水改質瓶の縦断面図、
図３は図１に示す水改質瓶の底部の拡大断面説明図である。
【００２７】
水改質瓶（みずかいしつがめ）Ａは、瓶本体１と水改質器２を備えている。
瓶本体１は、陶器製である。瓶本体１は、上方側が丸く膨らみ、下方側がやや窄まった形状を有している。
瓶本体１の上部側の中央部には、水入れ口１０が設けてある。水入れ口１０を形成する口縁部１１は、全周にわたり上方へ突出し、更に外側へ張り出して形成してある。口縁部１１は、水改質瓶Ａを持つときの指掛け部にもなる。
【００２８】
水入れ口１０の内周壁は、下方へ向けやや窄まって形成してある。水入れ口１０には、コルク製の蓋体１２が嵌め入れて被冠される。蓋体１２は逆円錐台形状であり、傾斜した外周部は水入れ口１０の内周部の傾斜角度と合わせてあり、互いに実質的に密着するようになっている。
また、瓶本体１の上部側の外周面には、紐掛けを象った飾り突起１３が、周方向へ等間隔で三箇所に設けてある
【００２９】
瓶本体１の底部寄りの周壁部には、水改質器２を固定するための固定用凹部１４が設けてある。固定用凹部１４は、奥部に垂直な平面部１４０を有しており、平面部１４０を貫通して固定用孔１５が設けてある。
【００３０】
水改質器２は、合成樹脂製の通水容器２０と取水栓２１を有している。取水栓２１は、固定用孔１５を貫通して固定用凹部１４の平面部１４０に水密に固定してある。なお、水密構造については、パッキン等の公知手段を採用している。
通水容器２０は、両端部が実質的に塞がれている円筒形状の容器である。通水容器２０の一端側には、取水栓２１に接続する接続管２２を有している。通水容器２０の他端側には、通水孔２３が複数設けてある。
【００３１】
通水容器２０の内部には、水改質袋２４が収容してある。水改質袋２４は、合成樹脂製の網布（メッシュ）でつくられた収容袋２４０にマグネシウム粒２４１を多数収容した構造である。マグネシウム粒２４１の粒径は、本実施の形態では約４ｍｍである。また、水改質袋２４の体積は、通水容器２０の容積の７０〜８０％程度に設定してある。
なお、水改質袋２３が通水容器２０の容積内で占める割合及びマグネシウム粒２４１の粒径は、水が水改質袋２４内をスムーズに通ることができれば、特に限定するものではない。
【００３２】
（作  用）
図１、図２及び図３を参照して、本実施の形態に係る水改質瓶Ａの作用を説明する。
（１）まず、瓶本体１に適量の水道水等の被処理水を入れて溜める。瓶本体１はセラミックである陶器でつくられているので、瓶本体１内に溜められている被処理水は、陶器が放射する遠赤外線によって、理由は定かでないが味にまろやかさが付与される。
（２）必要時に取水栓２１を開栓し、取水する。このときに生じる水の流れによって、瓶本体１内部の被処理水は通水容器２０内に入り、水改質袋２４内のマグネシウム粒２４１に接触してアルカリイオン水に改質される。
（３）アルカリイオン水に改質された水は取水栓２１から、瓶本体１外部へ取水される。
【００３３】
上記したように、本実施の形態に係る水改質瓶Ａは、瓶本体１にあらかじめ溜めた水を改質するものであるので、一般的な浄水器と相違して、水道の配管がされていない場所でも、水を改質して使用できる。また、構造がごく簡単であるので、製造コストを安価に抑えることができる。
【００３４】
水改質材であるマグネシウム粒２４１は、通水可能な網布でつくられた収容袋２４０に収容された状態で通水容器２０内に収容されているので、例えば収容袋２４０の網目をマグネシウム粒２４１の粒径に合わせて適正に選定すれば、マグネシウム粒２４１のもれを防止できる。
また、水改質材のメンテナンスを行う時には、袋に入ったまま交換できるので、作業が容易にできる。なお、収容袋２４０に開閉のためのファスナを付ける等すれば、水改質材のみの交換、補充も可能になる。
【００３５】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００３６】
【発明の効果】
本発明は上記構成を備え、次の効果を有する。
（ａ）本発明に係る水改質瓶は、瓶本体にあらかじめ溜めた水を改質するものであるので、一般的な浄水器と相違して、水道の配管がされていない場所でも、水を改質して使用できる。また、構造がごく簡単であるので、製造コストを安価に抑えることができる。
【００３７】
（ｂ）瓶本体はセラミックでつくられているので、瓶本体内に溜められている被処理水は、陶器が放射する遠赤外線によって、理由は定かでないが味にまろやかさが付与される。
【００３８】
（ｃ）水改質材は流動性固体であり、通水可能な網布でつくられた袋に収容された状態で通水容器内に収容されているものは、網目を水改質材の特性、形態に合わせて適正に選定すれば、水改質材そのものや屑のもれを防止できる。また、水改質材のメンテナンスを行う時には、袋に入ったまま交換できるので、作業が容易にできる。
【００３９】
（ｄ）水改質材がマグネシウムであるものは、マグネシウムを被処理水と接触させることで、マグネシウムが水と反応し、水酸化マグネシウムと水素が生成される。これにより、水改質瓶によって、電気分解を利用せずに、電解水製造装置と同等の酸化還元電位やｐＨを有するアルカリイオン水を生成できる。
【００４０】
（ｅ）本発明に係る水改質瓶は、古来、我が国において、飲用水を溜めるために使用されてきた水瓶を想起させることができ、使用者に対し、無機的な感じではなく、暖かみを感じさせることができる。これにより、一般家庭において使用する場合にも、使用者は違和感を感じにくい。また、瓶自体がいわゆる懐古調の外観を有するので、例えば温泉等の観光地の各種店舗、あるいは旅館、ホテル等における顧客サービスとして利用するのに有用である。
【図面の簡単な説明】
【図１】本発明に係る水改質瓶の一実施の形態を示す斜視図。
【図２】図１に示す水改質瓶の縦断面図。
【図３】図１に示す水改質瓶の底部の拡大断面説明図。
【符号の説明】
Ａ  水改質瓶
１  瓶本体
１０  水入れ口
１１  口縁部
１２  蓋体
１３  飾り突起
１４  固定用凹部
１４０  平面部
１５  固定用孔
２  水改質器
２０  通水容器
２１  取水栓
２２  接続管
２３  通水孔
２４  水改質袋
２４０  収容袋
２４１  マグネシウム粒
【図１】
2004275902.tif 000004
【図２】
2004275902.tif 000005
【図３】
2004275902.tif 000006